(57)【要約】【課題】網カゴ内に良好にゴミを収納させて脱水することができ、使い勝手が良く、またメンテナンスが容易なゴミの脱水装置を提供する。【解決手段】排水口に固設された排水容器３内に、着脱可能な網カゴ５と、この網カゴ５を回転させる駆動手段（６，６ａ，７，８，１３，１４）が収納されてなり、駆動手段を手動で回転させる操作部１１は網カゴ５の上流側に設けられているとともに、駆動手段の動力伝達機構部（６ａ，８，１４）は網カゴ５の下流側に設けられ、操作部１１と動力伝達機構部（６ａ，８，１４）とは、排水容器３の内側かつ網カゴ５の外側のスペースに設けられた伝動部材６により連結されている。【選択図】図２
2010156161.tif 000002
【特許請求の範囲】
【請求項１】
排水口に固設された排水容器内に、着脱可能な網カゴと、該網カゴを回転させる駆動手段が収納されてなり、
前記駆動手段を手動で回転させる操作部は、前記網カゴの上流側に設けられているとともに、前記駆動手段の動力伝達機構部は、前記網カゴの下流側に設けられており、前記操作部と前記動力伝達機構部とは、前記排水容器の内側かつ前記網カゴの外側のスペースに設けられた伝動部材により連結されている
ことを特徴とする排水口におけるゴミの脱水装置。
【請求項２】
前記網カゴの外周を覆う該網カゴと同心円形の中空筒が、前記排水容器の内側に設けられ、該中空筒を介し前記操作部からの回転力が前記動力伝達機構部に伝達されるように構成した
ことを特徴とする請求項１に記載の排水口におけるゴミの脱水装置。
【請求項３】
前記駆動手段を構成する動力伝達機構部，中空筒は、前記排水容器から着脱可能に構成されている
ことを特徴とする請求項２に記載の排水口におけるゴミの脱水装置。
【請求項４】
前記操作部は、前記駆動手段から着脱可能に構成されている
ことを特徴とする請求項１または請求項２または請求項３に記載の排水口におけるゴミの脱水装置。
【発明の詳細な説明】
【技術分野】
【０００１】
本発明は、排水口に設けられて、収納したゴミを脱水できるゴミの脱水装置に関するものである。
【背景技術】
【０００２】
従来、この種の装置として特許文献１に開示されているようなものがある。
特許文献１に開示されているごみ脱水装置は、流し台に設けたハンドルを手で回すことによって、流し台の水槽の排水筒内に備えるバスケットを回転させて脱水することができるものとしている。
また、従来、特許文献２に開示されているように、原動軸を回転させるハンドルと、カゴを回転させる歯車の両者を、収納カゴを覆う上流側の目皿蓋に設けて、流し台シンクの排水孔に設置した水切器がある。
【特許文献１】実開昭４９−０７６９４２号公報
【特許文献２】実開昭６０−００１７０２号公報
【発明の開示】
【発明が解決しようとする課題】
【０００３】
上記特許文献１に開示されているごみ脱水装置では、従動歯車や駆動歯車等の駆動機構部分は排水筒の外側に配置されたものであり、そのため、駆動機構部分からの回転軸を通す貫通孔を排水筒に形成する必要があり、この貫通孔からの水漏れを防ぐシール構造にせねばならないという問題点があった。
また、上記特許文献２に開示されている構造では、駆動機構部分が目皿蓋と一体化しており、収納カゴ内にゴミを入れるときは、この目皿蓋を外す必要があり、使いにくく、また、目皿蓋を別の場所に保管せねばならないという問題点があった。
【課題を解決するための手段】
【０００４】
本発明は、網カゴ内にゴミを入れることが容易で、使い易く、しかもメンテナンスが容易となる排水口におけるゴミの脱水装置の提供を目的とし、この目的の少なくとも一部を達成するために以下の手段を採った。
本発明の排水口におけるゴミの脱水装置は、排水口に固設された排水容器内に、着脱可能な網カゴと、該網カゴを回転させる駆動手段が収納されてなり、前記駆動手段を手動で回転させる操作部は、前記網カゴの上流側に設けられているとともに、前記駆動手段の動力伝達機構部は、前記網カゴの下流側に設けられており、前記操作部と前記動力伝達機構部とは、前記排水容器の内側かつ前記網カゴの外側のスペースに設けられた伝動部材により連結されていることを要旨とする。
【発明の効果】
【０００５】
本発明では、排水容器内に網カゴと駆動手段が収納され、操作部は網カゴの上流側に、駆動手段の動力伝達機構部は網カゴの下流側に設けられ、操作部と動力伝達機構部とは、排水容器の内側かつ網カゴの外側のスペースに設けられた伝動部材により連結されているため、操作部を回転させて駆動手段を介して良好に網カゴを回転させて、網カゴ内のゴミを脱水することができ、また、駆動手段の動力伝達機構部は網カゴの下流側にあるため、網カゴ内にゴミを投入する際に邪魔になることがなく、良好に網カゴ内にゴミを投入して使用することができ、使いやすいものとなる。
また、駆動手段は排水容器内にあるためメンテナンスが容易となり、従来のように、排水容器に軸を貫通させて設ける必要がなく、防水シールは不要となる。
【０００６】
また、本発明の排水口におけるゴミの脱水装置において、前記網カゴの外周を覆う該網カゴと同心円形の中空筒が、前記排水容器の内側に設けられ、該中空筒を介し前記操作部からの回転力が前記動力伝達機構部に伝達されるように構成することもできる。
こうすれば、操作部からの回転力で中空筒が回転し、この中空筒の回転力が動力伝達機構部に伝達されて、良好に網カゴが回転されることとなる。また、網カゴは中空筒と同軸で回転するものであるため、網カゴの直径を大きくすることができ、網カゴのゴミ等の収納量が十分に確保できるものとなる。
【０００７】
また、本発明の排水口におけるゴミの脱水装置において、前記駆動手段を構成する動力伝達機構部，中空筒は、前記排水容器から着脱可能に構成することもできる。
こうすれば、排水容器から駆動手段を離脱させて、駆動手段を良好にメンテナンスすることができ、メンテナンスが容易なものとなる。
【０００８】
また、本発明の排水口におけるゴミの脱水装置において、前記操作部は、前記駆動手段から着脱可能に構成することもできる。
こうすれば、操作部を取り外して別の場所に保管することができ、操作部は小さいために保管スペースは小スペースで良く、また、操作部を取り外すことで操作部が汚れにくいものとなる。
【発明を実施するための最良の形態】
【０００９】
次に、本発明を実施するための最良の形態を実施例を用いて説明する。
【実施例１】
【００１０】
図１〜図１１は第１実施例を示すものである。
図１に示すように、キッチンカウンター１には水を溜めることのできるシンク２が設けられており、このシンク２の底に形成されている排水口２ａには、排水容器３が垂下状に固設されている。
この排水容器３は、上端のフランジ部３ａを排水口２ａの上面に当接させて、下方側より図示しないパッキンを介在させてフランジ部３ａにナットを締め付けることにより、排水容器３がシンク２に固設されるものである。
また、排水容器３は、上面は開放されているが下端側には底面３ｂが形成されており、この底面３ｂには、その中央部に上下方向に立ち上げて筒状の排水管３ｃが一体形成されている。また、排水管３ｃの上側の排水容器３の内周には係止部３ｄが形成されている。この排水容器３内にゴミ脱水装置４の構成部材が収納されている。
【００１１】
ゴミ脱水装置４は、網カゴ５と、中空筒６と、歯車８を有する歯車治具７と、網カゴ５の下面側に設けられた歯車１４と、操作部１１で構成されており、排水容器３の上面には着脱可能に蓋１０が取り付けられる。
【００１２】
図２は、排水容器３とゴミ脱水装置４の構成部材の分解斜視図であり、図３は、ゴミ脱水装置４の構成部材を排水容器３内に収納させた状態の縦半断面斜視図であり、図４は、違う方向から視た縦半断面斜視図である。また、図５は、蓋を取り除いた状態の外観斜視図であり、図６は、蓋を取り付けた状態の外観斜視図である。
ゴミ脱水装置４の各構成部材を以下に説明する。
【００１３】
図７は、網カゴ５の斜視図であり、網カゴ５は、外周に多数の通孔を有する上面が開放された円形カゴ状に形成されており、底面５ａの中央部には垂下状に軸受部１２が設けられており、この軸受部１２に軸１３が設けられ、軸１３は下方へ垂下状をなし、軸１３には歯車１４が設けられている。
【００１４】
また、中空筒６は、図８の斜視図で示すように、上面および下面が開放された円形筒状に形成されており、網カゴ５を内側に収納することができ、かつ排水容器３の内側に入れることのできる直径寸法に形成されている。また、この中空筒６の下端内周には、内歯車６ａが全周に亘り一体形成されている。また、中空筒６の上端部には、上下方向にほぼ貫通状に、操作部１１を差し込むための操作部差込スリット６ｂが形成されている。
【００１５】
また、歯車治具７は、図９の斜視図で示すように構成されており、外周の円形状のリング部７ａの３個所からそれぞれ内側へ延びる連結片７ｂ，７ｂ，７ｂが中央部で集合され、連結片７ｂ，７ｂ，７ｂの集合部には、上面が下方へ向かって擂り鉢状をなし上下に貫通する軸挿入孔７ｄを有する軸受部７ｃが形成されている。また、各連結片７ｂのリング部７ａ側には、それぞれ歯車軸挿入孔７ｇ，７ｇ，７ｇが形成されており、本例では、この３個の歯車軸挿入孔７ｇのうち１個の歯車軸挿入孔７ｇに、軸を挿入して回転可能に連結片７ｂ上に歯車８が設けられている。また、軸受部７ｃの下方には、垂下状に前記軸挿入孔７ｄを形成する挿入部７ｅが一体化されており、挿入部７ｅの一部には、外側へ突出してキー状の係合突条７ｆが一体形成されている。
なお、歯車治具７の各連結片７ｂの各歯車軸挿入孔７ｇ，７ｇ，７ｇにそれぞれ歯車８を回転可能に設けて構成しても良い。
【００１６】
また、排水容器３の底面３ｂ側に排水管３ｃの外周を覆うように取り付けられるベルトラップ９は、図１０の斜視図で示すような構造となっている。
このベルトラップ９は、下端が開放された円形の筒状部９ａの上面が閉じられており、上面には中央部に上面突部９ｂが立ち上げ形成され、この上面突部９ｂの中央部には、上下方向に延びる挿入孔９ｃが形成されており、挿入孔９ｃの一部には、外側へ切り欠き状に係合凹部９ｄが形成されている。
また、筒状部９ａの上端側の外周には、外側へ突出して３個所に係止片９ｅ，９ｅ，９ｅが形成されており、ベルトラップ９を回転させることにより、この係止片９ｅ，９ｅ，９ｅが排水容器３の係止部３ｄに係止されて、ベルトラップ９を排水容器３の排水管３ｃの外側に固定状に取り付けることができるものである。
【００１７】
ベルトラップ９の取付状態では、ベルトラップ９の筒状部９ａの下端は排水容器３の底面３ｂから浮き上がった状態で固定され、このベルトラップ９の筒状部９ａの内周と排水管３ｃの外周間に封水部ＴＰが形成されるように構成されている。
前記網カゴ５の底側に設けた軸１３および歯車１４と、伝動部材としての中空筒６と、歯車８を有する歯車治具７で駆動手段が構成されており、さらに、内歯車６ａと歯車８と歯車１４で駆動手段の動力伝達機構部が構成されている。
【００１８】
排水容器３の底面３ｂ側にベルトラップ９を先ず固定状に取り付け、このベルトラップ９の挿入孔９ｃ内に、上方から歯車治具７の挿入部７ｅを挿入させてゆき、この時に歯車治具７の係合突条７ｆをベルトラップ９側の係合凹部９ｄ内に挿入することで、歯車治具７は排水容器３内のベルトラップ９上に回転不能に配置されることとなる。
また、中空筒６を排水容器３内に上方側から差し入れて、中空筒６の下端の内歯車６ａを、歯車治具７に回転可能に設けられている歯車８に噛合させ、歯車治具７上に中空筒６を回転可能に配置させることができ、この中空筒６の内側に、上方より網カゴ５を挿入させて、網カゴ５の下端に設けられている軸１３を歯車治具７の軸挿入孔７ｄ内に挿入させ、かつ歯車１４を歯車８に噛合させて、網カゴ５を中空筒６の内周側に同心状に回転可能に配置させることができる。
【００１９】
なお、中空筒６の上端に形成されている操作部差込スリット６ｂには、上方より図１１に斜視図で示す操作部１１を着脱可能に取り付けることができる。
この操作部１１は、水平片１５ａの一端から下側へ折り曲げた垂下片１５ｂを有するＬ字状のＬ字状片１５の水平片１５ａに、上方へ立ち上げて軸１６が設けられ、軸１６の外周に回転可能にツマミ部１７が設けられたものである。
この操作部１１の垂下片１５ｂを、中空筒６の操作部差込スリット６ｂ内に上方より差し込んで、中空筒６の上端に操作部１１を取り付けることができる。
【００２０】
このようにして操作部１１を取り付けた状態で、操作部１１のツマミ部１７を指で摘み、操作部１１を例えば時計回りに移動させてゆくと、これに伴い中空筒６が水平面内で回転を開始し、中空筒６の内歯車６ａに噛合されている歯車８に回転力が伝えられ、さらに歯車８から歯車１４に回転が伝えられることで、網カゴ５が中空筒６内で回転を開始する。
【００２１】
なお、内歯車６ａ，歯車８，歯車１４で構成される動力伝達機構部の歯車のギヤ比を適宜設定して、例えば中空筒６の回転に対し網カゴ５が３倍程度の速さで回転されるように設定しておくことができる。こうすれば、操作部１１を介し中空筒６を回転させることで、その内部で網カゴ５が高速で回転され、これにより網カゴ５内に入れられたゴミの水分を網カゴ５から外側へ飛ばして、良好にゴミの脱水が行えるものである。
【００２２】
なお、排水容器３の上面に覆設される蓋１０は、図２および図６に示すように、略水平な蓋面１０ａと、反対側には中央部が下方側へ向かって傾斜した下傾ガイド片１０ｂが一体形成されており、この下傾ガイド片１０ｂと蓋面１０ａ間に、横から下側に向かって開口された開口１０ｃが形成されている。
本例では、操作部１１を取り外した状態で蓋１０を排水容器３の上面に取り付け、この状態で、シンク２内で洗い物をしながら開口１０ｃを通し排水容器３内に排水と共にゴミを流下させることができ、ゴミは良好に網カゴ５内に収納されるものである。即ち、排水容器の内側に中空筒６が設けられ、この中空筒６の内側に同心状に網カゴ５が収納されるため、網カゴ５の直径寸法を大きくすることができて、上面が大きく開放された網カゴ５とすることで、大量のゴミを良好に網カゴ５内に収納可能である。
【００２３】
また、本例では、排水容器３の内部に網カゴ５および駆動手段が収納されたものであるため、従来のように排水容器３の外側に駆動手段を設けたものに比べて、排水容器３に軸を通す貫通孔等を形成させる必要がないためシール構造等が不要となる。
また、排水容器３内に収納されている駆動手段の動力伝達機構部である内歯車６ａ，歯車８，歯車１４は網カゴ５の下流側に配置されるため、網カゴ５内にゴミが流入する際に何ら邪魔になることはなく、良好にゴミを網カゴ５内に上方から投入して入れることができ、使いやすいものとなる。
【００２４】
また、操作部１１は中空筒６に上方側から取り付けることができて、シンク２内で上方側から操作部のツマミ部１７を摘んで良好に操作することができ、操作性が良好なものとなる。また、操作部１１は、脱水時以外は取り外して別の場所に保管しておくことができ、小さいものであるため保管スペースが小スペースで良く、通常は操作部１１は取り外しておけば、操作部１１が汚れにくいものとなる。
なお、この操作部１１を中空筒６に取り付けた状態で、上方から蓋１０を排水容器３の上面に覆設できるように構成しておくこともできる。また、網カゴ５には、上方へ引き上げやすいように取っ手などを取り付けておくことができる。
【００２５】
本例のゴミ脱水装置４では、蓋１０と網カゴ５を上方へ引き上げて取り外し、また、中空筒６を上方へ引き上げて取り外し、さらに、歯車治具７も上方へ引き上げて取り外すことができるため、掃除が容易であり、またメンテナンスも容易なものとなる。
【実施例２】
【００２６】
次に、図１２〜図１４は第２実施例を示す。
図１２は、操作部１１を取り付けた状態の内部構造を示す縦断面構成図であり、図１３は、操作部１１を取り外した状態の縦断面構成図である。また、図１４は、図１３の平面図である。
【００２７】
シンク２の排水口２ａに固定状に取り付けられる排水容器３は、その上端に排水口２ａに固定されるフランジ部３ａを有し、排水容器３の底面３ｂから垂下状に排水管３ｃが形成されている。この排水容器３内には回転可能に網カゴ５が収納されており、網カゴ５の側方の排水容器３内に上下方向に立ち上げて伝達軸１９が回転可能に設けられている。
この伝達軸１９の上端には、上方へ突出して四角形状の四角突部１９ａが形成されており、この四角突部１９ａに、上方より操作部１１を着脱可能に取り付けできるものである。
【００２８】
伝達軸１９の下端側は、排水容器３の底面３ｂ上に設けられた軸受部材２０に回転可能に支持されており、伝達軸１９の下端側には、その外周に歯車２１が設けられている。
また、網カゴ５の底面中央部には、下方へ垂下状に軸１３が設けられており、この軸１３も軸受部材２０に回転可能に支持されており、軸１３には歯車１４が設けられている。歯車２１と歯車１４間には、回転可能な軸２３に設けられた歯車２２が噛合状に配置されている。
前記網カゴ５の底側に設けた軸１３および歯車１４と、伝動部材としての伝達軸１９と、軸２３および歯車２２で駆動手段が構成されており、さらに、歯車２１と歯車２２と歯車１４で駆動手段の動力伝達機構部が構成されている。
【００２９】
なお、操作部１１は、指で摘むことのできる回転可能なツマミ部１７がアーム部１８の上端に設けられており、アーム部１８の下端側には下方へ垂下状に着脱部１８ａが一体形成され、この着脱部１８ａの底側に四角形状の凹部を形成させておき、この着脱部１８ａの凹部内に伝達軸１９の上端の四角突部１９ａが嵌まることで、操作部１１の回転力が伝達軸１９に伝えられ、伝達軸１９の回転により歯車２１，歯車２２，歯車１４を介して回転数が増幅されて軸１３に伝えられ、軸１３を介して網カゴ５を高速で回転させることができるものである。
操作部１１は伝達軸１９の上端側に着脱できるものであるため、容易に取り付けて良好に操作することができ、網カゴ５を高速で回転させて内部に収納されるゴミの水分を外側へ飛ばして脱水できるものであり、脱水された水分は排水管３ｃを通り排出される。
【００３０】
本例においても、排水容器３内に、網カゴ５と、駆動手段を構成する伝達軸１９，歯車２１，２２，１４が収納されており、排水容器３の外側に駆動手段等が存在しないものである。また、動力伝達機構部を構成する歯車２１，２２，１４は網カゴ５の下側に配置され、操作部１１は網カゴ５の上側に配置されているため、網カゴ５の上面側から良好に網カゴ５内にゴミを投入することができ、使いやすいものとなる。
また、脱水時以外は操作部１１を取り外して別の場所に保管しておくことができ、排水容器３の上面には図示しない蓋を被せて、すっきりとした設置状態を得ることができる。
また、網カゴ５等を掃除する際には、網カゴ５を上方側へ引き上げ、さらに歯車２２，１４等も上方へ引き上げて取り外すことができ、メンテナンスも容易に行えるものである。
【図面の簡単な説明】
【００３１】
【図１】シンクの排水口に固設した排水容器内に収納されるゴミ脱水装置の構成部材の分解図である。
【図２】更にゴミ脱水装置の構成部材を拡大した分解図である。
【図３】排水容器内にゴミ脱水装置の構成部材を収納して組み付けた状態の縦方向の半断面斜視構成図である。
【図４】違う方向から視た図３と同様な組み付け状態の縦方向の半断面斜視構成図である。
【図５】ゴミ脱水装置を組み込んだ排水容器の外観斜視図である。
【図６】更に排水容器の上面に蓋を被せた状態の外観斜視図である。
【図７】網カゴの拡大斜視構成図である。
【図８】中空筒の拡大斜視構成図である。
【図９】歯車治具の拡大斜視構成図である。
【図１０】ベルトラップの拡大斜視構成図である。
【図１１】操作部の拡大斜視構成図である。
【図１２】第２実施例を示す排水容器内に収納されたゴミ脱水装置の縦断面構成図である。
【図１３】第２実施例の操作部を取り外した状態の排水容器内に収納されたゴミ脱水装置の縦断面構成図である。
【図１４】図１３の平面構成図である。
【符号の説明】
【００３２】
１  キッチンカウンター
２  シンク
２ａ  排水口
３  排水容器
３ａ  フランジ部
３ｂ  底面
３ｃ  排水管
３ｄ  係止部
４  ゴミ脱水装置
５  網カゴ
５ａ  底面
６  中空筒（伝動部材）
６ａ  内歯車
６ｂ  操作部差込スリット
７  歯車治具
７ａ  リング部
７ｂ  連結片
７ｃ  軸受部
７ｄ  軸挿入孔
７ｅ  挿入部
７ｆ  係合突条
７ｇ  歯車軸挿入孔
８  歯車
９  ベルトラップ
９ａ  筒状部
９ｂ  上面突部
９ｃ  挿入孔
９ｄ  係合凹部
９ｅ  係止片
１０  蓋
１０ａ  蓋面
１０ｂ  下傾ガイド片
１０ｃ  開口
１１  操作部
１３  軸
１４，２１，２２  歯車
１５  Ｌ字状片
１５ａ  水平片
１５ｂ  垂下片
１６  軸
１７  ツマミ部
１８  アーム部
１８ａ  着脱部
１９  伝達軸（伝動部材）
１９ａ  四角突部
２０  軸受部材
２３  軸
【図１】
2010156161.tif 000003
【図２】
2010156161.tif 000004
【図３】
2010156161.tif 000005
【図４】
2010156161.tif 000006
【図５】
2010156161.tif 000007
【図６】
2010156161.tif 000008
【図７】
2010156161.tif 000009
【図８】
2010156161.tif 000010
【図９】
2010156161.tif 000011
【図１０】
2010156161.tif 000012
【図１１】
2010156161.tif 000013
【図１２】
2010156161.tif 000014
【図１３】
2010156161.tif 000015
【図１４】
2010156161.tif 000016